(57)【要約】【課題】樹脂製のシート状俎板（軽量）のスタンドを安価に製造する。【解決手段】足板部１の両側に適宜長さ及び幅の起立面部２を、各々足板部の境界裏面に設けた折曲凹部を介し、且つ嵌合溝形成用間隙Ａを有せしめて二本平行に設けると共に、足板部を挟んだ対象位置の起立面部の先部に、互いに連結可能とする連結部（２１，２２）を設け、全体をシート部材とし、起立板部を折曲凹部から折り曲げて起立させ、対向する起立面部とを、その先部で連結して俎板スタンドに組み上げる。【選択図】図１
0003149889.tif 000002
【実用新案登録請求の範囲】
【請求項１】
適宜強度を備えた薄樹脂板において、足板部の両側に適宜長さ及び幅の起立面部を、各々足板部の境界裏面に設けた折曲凹部を介し、且つ嵌合溝形成用間隙を有せしめて二本平行に設けると共に、足板部を挟んだ対象位置の起立面部の先部に、互いに連結可能とする連結部を設け、全体をシート部材としてなることを特徴とする樹脂製シート状俎板用スタンド。
【請求項２】
足板部を、両側の起立面部形成範囲を挟むように延出形成してＨ状としてなる請求項１記載の樹脂製シート状俎板用スタンド。
【請求項３】
起立面部を足板部より薄く形成すると共に、連結部を、径大とした係止頭部を備えた差込突部と、前記差込突部が挿着される受け透孔とで形成してなる請求項１又は２記載の樹脂製シート状俎板用スタンド。
【請求項４】
連結部を、起立面部の先方個所の前後側縁における互い違いの位置に設けた切り込み溝で形成してなる請求項１又は２記載の樹脂製シート状俎板用スタンド。
【請求項５】
ポリプロピレン樹脂で形成してなる請求項１又は３記載の何れかの樹脂製シート状俎板用スタンド。
【請求項６】
足板部の両側間隔を５〜７ｃｍとし、嵌合溝形成用間隙を３〜５ｍｍとし、起立面部が幅１．５〜２．５ｃｍで長さを足板部両側間隔よりも長く形成してなる請求項１又は４記載の何れかの樹脂製シート状俎板用スタンド。
【考案の詳細な説明】
【技術分野】
【０００１】
本考案は、俎板のうち特に樹脂製シート状俎板に使用する俎板スタンドに関するものである。
【背景技術】
【０００２】
俎板スタンドは、俎板を使用していない時に直立させておくことで清潔に保つと共に、台所の収納場所をコンパクトにするものとして、俎板の厚さに対応する嵌合溝を備えているものである。
【０００３】
具体的には、特許文献１（実開平５−３９４４７号公報）に、溝幅を調整できるように嵌合溝を形成する対向部材を組み合わせる器具が開示されており、また特許文献２（特開２００３−３８３６６号公報）に、上部開口コの字状部材に、対向面に直行する方向で俎板嵌合溝を形成した簡易な俎板スタンドが開示されている。
【０００４】
また近年は、適度の柔軟性を備えて刃物による摩耗が少なく、且つ食品の臭気の付着がないポリプロピレンと熱可塑性エラストマーを主材とした俎板が提案され（特許文献３：特開２００２−３６９７５２号公報）、現に市販されている。
【０００５】
前記の俎板の厚さとしては、前記特許文献３には、２〜５０ｍｍ厚のものが好ましいと開示されており、また特許文献４（登録実用新案第３１３８１４４号公報）には、前記特許文献１と同様にポリプロピレンと熱可塑性エラストマーを主材とした俎板について、厚さを１０〜２０ｍｍ程度とすることが開示されている。しかし現に販売されているシート状俎板は、厚さが１．５〜５ｍｍ程度である。
【先行技術文献】
【特許文献】
【０００６】
【特許文献１】実開平５−３９４４７号公報。
【特許文献２】特開２００３−３８３６６号公報。
【特許文献３】特開２００２−３６９７５２号公報。
【特許文献４】登録実用新案第３１３８１４４号公報。
【考案の概要】
【考案が解決しようとする課題】
【０００７】
上記した俎板スタンドは、数ｃｍの厚みのある板状の俎板用であり、ｍｍ単位の厚さのシート状俎板を前提としているものではなく、そのままシート状俎板に適用しようとした場合には、過剰品質にならざるを得ない。
【０００８】
特に嵌合溝の間隔を調整できる特許文献１記載のようなスタンドにおいては、シート状俎板のスタンドとして使用することができるが、対向部材を樹脂成型で製出するので相応の製造コストを必要とする。
【０００９】
また特許文献２に開示されているコ状断面の部材を採用した場合には、多少の厚みの相違のあるシート状俎板に対する汎用性を備えさせるために、やや厚みのある俎板に対応する嵌合溝を採用した場合、薄いシート状俎板を安定して起立させるためには、対向面の高さにする必要があり、全体が嵩張り製造後の流通コストを考慮すると必ずしもシート状俎板に適するスタンドとは言い難い。
【００１０】
そこで本考案は、特にシート状俎板に適し、且つ製造コスト・流通コストが低廉となる新規な樹脂製シート状俎板用スタンドを提案したものである。
【課題を解決するための手段】
【００１１】
本考案に係る樹脂製シート状俎板用スタンドは、適宜強度を備えた薄樹脂板において、足板部の両側に適宜長さ及び幅の起立面部を、各々足板部の境界裏面に設けた折曲凹部を介し、且つ嵌合溝形成用間隙を有せしめて二本平行に設けると共に、足板部を挟んだ対象位置の起立面部の先部に、互いに連結可能とする連結部を設け、全体をシート部材としてなることを特徴とするものである。
【００１２】
而して足板部両側二本の起立面部を折曲凹部から折り曲げて起立させ、対向する起立面部とを、その先部で連結すると、足板部上に三角屋根状の起立部が２個併立され、この起立部の間隙が、俎板用嵌合溝となり、薄いシート状俎板を前記嵌合溝に嵌め入れることで、俎板スタンドとして使用されるものである。
【００１３】
また本考案（請求項２）に係る俎板スタンドは、前記のスタンドにおいて、特に足板部を、両側の起立面部形成範囲を挟むように延出形成してＨ状としてなるもので、張り出した部分によって俎板を嵌合装着した際の安定性が高められるものである。
【００１４】
更に本考案（請求項３）に係る俎板スタンドは、起立面部を足板部より薄く形成すると共に、連結部を、径大とした係止頭部を備えた差込突部と、前記差込突部が挿着される受け透孔とで形成してなるもので、足板部を厚く堅牢とし、起立面部を薄く適宜な柔軟性を備えさせることで、対向する起立面部の先部を当接状態とし、突部を受け透孔に差し入れて対向起立面部を連結して起立部とするものである。
【考案の効果】
【００１５】
本考案の構成は上記のとおりで、薄樹脂板で形成したシート体で、これを組み立てて俎板用のスタンドとするもので、安価に製造できると共に、嵩張ることがないので運搬コストも廉価となり、シート状俎板と組み合わせて販売も容易に実現することができる。
【図面の簡単な説明】
【００１６】
【図１】本考案の実施形態の全体斜視図。
【図２】同ａ−ａ線切断端面図。
【図３】同組立後の全体斜視図。
【図４】同使用状態を示す全体斜視図。
【図５】同連結部の別例の説明図。
【考案を実施するための形態】
【００１７】
次に本考案の実施の形態について説明する。実施形態に示した樹脂製シート状俎板用スタンドは、１枚の薄樹脂板（ポリプロピレン樹脂）で形成されたシート部材であり、使用時に組み立てるものである。
【００１８】
このシート部材は、足板部１と起立面部２を備えているもので、足板部１は、起立面部２が左右に連設されている中央部１１と、連設されている起立面部２の形成範囲を前後に挟むように張り出し形成した延出部１２で全体をＨ状としたものである。
【００１９】
この足板部１は厚さ２ｍｍ程度として相応の堅牢性を備えさせ、前記中央部１１の左右幅（起立面部２を連設する両側間隔）を５〜７ｃｍとし、前後長は起立面部２の前後幅（１．５〜２．５ｃｍ）に対応する４〜６ｃｍ程度としたものである。また延出部１２は、左右長が１２ｃｍ、前後幅２ｃｍ程度としておくものである。
【００２０】
起立面部２は、適宜な厚さを１ｍｍ程度の帯状として、足板部１の中央部１１の両側（左右）に各々２本連設し、並列する起立面部２の間は、３〜５ｍｍの嵌合溝形成用間隙Ａとし、その左右長は、中央部１１を底辺とした三角形が形成されるように中央部の左右幅より１〜２ｃｍ程度長く形成したものである。
【００２１】
更に中央部１１と各起立面部２との境界部分には、起立面部２の折曲起立が容易になされるように、裏面に折曲凹部３を設けたものである。
【００２２】
また足板部１の中央部１１を挟んだ対象位置の起立面部（対向起立面部）の先部に、互いに連結可能とする連結部を設けたもので、連結部は、対向起立面部の一方の先部に、径大とした係止頭部を備えた差込突部２１を形成し、他方の対向起立面部の先部には、前記の差込突部２１が挿通係止されるように拡経切り込みを有する受け透孔２２を設けたものである。
【００２３】
而して前記のシート部材は、使用時に組み立てて樹脂製シート状俎板用スタンドに形成するもので、組み立ては、左右各二本の起立面部２を折曲凹部３から折り曲げて起立させると共に、対向する起立面部２の先部を当接状態として、差込突部２１を受け透孔２２に差し込み、係止するものである。
【００２４】
対向する起立面部２を、その先部で連結すると、足板部１上に三角屋根状の起立部４が前後に２個併立され、この起立部４の間隙が、俎板用嵌合溝Ｂとなる。
【００２５】
従って薄いシート状俎板Ｃを前記の嵌合溝Ｂに嵌め入れることで、シート状俎板Ｃは起立状態で保管されることになる。
【００２６】
また本考案は前記実施形態に限定されるものではなく、形成材質は所望の機能を備えていれば任意で良いし、また連結部も図５に例示するように、左右の対向起立面部２の先方における前後側縁の互い違いの位置に、適宜長さの切り込み溝２３を形成し、互いの切り込み溝２３を噛み合わせることで対向起立面部２の連結を行い、起立部４を形成するようにしても良い。
【符号の説明】
【００２７】
１      足板部
１１    中央部
１２    延出部
２      起立面部
２１    差込突部
２２    受け透孔
２３    切り込み溝
３      折曲凹部
４      起立部
Ａ        嵌合溝形成用間隙
Ｂ        嵌合溝
Ｃ        シート状俎板
【図１】
0003149889.tif 000003
【図２】
0003149889.tif 000004
【図３】
0003149889.tif 000005
【図４】
0003149889.tif 000006
【図５】
0003149889.tif 000007